(57)【要約】【課題】  常習的な不正を検出すると、管理者および登録者に通知する生体認証システムを提供する。【解決手段】  識別対象者から生体情報を取得する生体情報取得部を有する端末装置と、取得した生体情報と予め登録した登録者の登録生体情報とを照合して一致、不一致を判定する照合判定手段とを備える生体認証システムにおいて、照合判定手段で照合結果が不一致と判定された生体情報を保持する不正生体情報保持手段と、不正生体情報保持手段に生体情報が保持されているか否かを判定する不正認証情報管理手段と、不正生体情報保持手段に生体情報が保持されていると、端末装置へ不正通知情報を出力する制御手段とを含み、端末装置は、不正通知情報を受けると識別対象者に対し警告を行う警告手段を有する。【選択図】    図１
2007140771.tif 000002
【特許請求の範囲】
【請求項１】
識別対象者から生体情報を取得する生体情報取得部を有する端末装置と、取得した生体情報と予め登録した登録者の登録生体情報とを照合して一致、不一致を判定する照合判定手段とを備える生体認証システムにおいて、
前記照合判定手段で照合結果が不一致と判定された前記生体情報を保持する不正生体情報保持手段と、
前記不正生体情報保持手段に前記生体情報が保持されているか否かを判定する不正認証情報管理手段と、
前記不正生体情報保持手段に前記生体情報が保持されていると、前記端末装置へ不正通知情報を出力する制御手段とを含み、
前記端末装置は、前記不正通知情報を受けると前記識別対象者に対し警告を行う警告手段を有することを特徴とする生体認証システム。
【請求項２】
前記制御手段は前記端末装置に撮影指示信号を出力し、該端末装置に設けられて前記撮影指示信号を受けると前記識別対象者の顔を撮影する撮影部と、
得られた顔画像を保持する不正者情報保持手段とを含むことを特徴とする請求項１記載の生体認証システム。
【請求項３】
前記制御手段が前記不正通知情報を出力すると、管理者に対し警告を行う管理者用警告手段を更に備えることを特徴とする請求項１記載の生体認証システム。
【請求項４】
前記制御手段が前記不正通知情報を出力すると、前記登録者に対し不正検出を通知する登録者通知手段を更に備えることを特徴とする請求項１記載の生体認証システム。
【発明の詳細な説明】
【技術分野】
【０００１】
本発明は、識別対象者から取得した生体情報と、予め登録した登録者の生体情報とを照合して一致、不一致の判定を行う生体認証システムにおいて、特に常習的な不正行為を防止し得る生体認証システムに関するものである。
【背景技術】
【０００２】
識別対象者から取得した生体情報と、予め登録した登録者の生体情報とを照合して一致、不一致の判定を行う生体認証システムに関し、いくつかの技術が提案されている。例えば、特許文献１に開示されているような、カメラで識別対象者の瞳を撮影して得た画像データから抽出したアイリス（虹彩）パターンと、予め登録した登録者のアイリスパターンとを照合して一致、不一致の判定を行うものがある。
【特許文献１】特開平９−２０１３４８号公報
【発明の開示】
【発明が解決しようとする課題】
【０００３】
しかしながら、従来の生体認証システムでは、不正を行う第三者はなりすましの事実を管理者および登録者に知られることなく、繰り返し不正を行うことが可能であるため、不正行為を抑制する効果が低いという問題点があった。
【０００４】
以上の問題点に鑑み、本発明の目的は、第三者の常習的な不正行為を抑制し得る生体認証システムを提供することにある。
【課題を解決するための手段】
【０００５】
本発明は、以上の点を解決するために、次の構成を採用する。
本発明の生体認証システムは、識別対象者から生体情報を取得する生体情報取得部を有する端末装置と、取得した生体情報と予め登録した登録者の登録生体情報とを照合して一致、不一致を判定する照合判定手段とを備える生体認証システムにおいて、照合判定手段で照合結果が不一致と判定された生体情報を保持する不正生体情報保持手段と、不正生体情報保持手段に生体情報が保持されているか否かを判定する不正認証情報管理手段と、不正生体情報保持手段に生体情報が保持されていると、端末装置へ不正通知情報を出力する制御手段とを含み、端末装置は、不正通知情報を受けると識別対象者に対し警告を行う警告手段を有することを特徴とする。
【０００６】
上記構成において、制御手段は端末装置に撮影指示信号を出力し、該端末装置に設けられて撮影指示信号を受けると識別対象者の顔を撮影する撮影部と、得られた顔画像を保持する不正者情報保持手段とを含むことを特徴とする。
【０００７】
本発明の生体認証システムは、制御手段が不正通知情報を出力すると、管理者に対し警告を行う管理者用警告手段を更に備えることを特徴とする。
【０００８】
本発明の生体認証システムは、制御手段が不正通知情報を出力すると、登録者に対し不正検出を通知する登録者通知手段を更に備えることを特徴とする。
【発明の効果】
【０００９】
本発明によれば、識別対象者から取得した生体情報と、予め登録した登録者の生体情報とを照合し、照合結果が不一致であると判定されると、取得した生体情報が不正生体情報保持手段で保持されているか否かを検索し、保持されていることを確認すると、撮影装置に識別対象者を撮影させてその顔画像情報を取得するようにしたので、第三者の常習的な不正行為を抑制することができる。
【００１０】
以下、本発明の実施形態について実施例を用いて詳細に説明する。
【実施例１】
【００１１】
＜実施例１の構成＞
本発明の実施例１の生体認証システムは、図１に示すように、端末装置１００と、該端末装置１００とネットワーク３００を介して接続されているホスト装置２００とで構成されている。
【００１２】
端末装置１００は、ネットワーク３００に接続されている通信部１０１と、装置全体を制御する制御部１０２と、カード読取部１０３と、生体情報取得部１０４と、一時記憶部１０５と、照合判定部１０６と、表示部１０７と、撮影部１０８とを備える。
【００１３】
カード読取部１０３は、登録者に予め提供していたＩＣカードから登録者ＩＤ番号と、登録者アイリス情報とを読み取る。
【００１４】
生体情報取得部１０４は、識別対象者の目を撮影するカメラを備え、撮影して取得した目の画像からアイリスパターンの濃淡値変化の特徴を抽出してデジタル化したアイリス情報を取得する。
【００１５】
照合判定部１０６は、生体情報取得部１０４で取得したアイリス情報と、カード読取部１０３でＩＣカードから読み取った登録者アイリス情報とを照合し、両生体情報の一致、不一致を判定する。即ち、照合判定部１０６で照合処理を行い、両生体情報を一致と判定すると、制御部１０２は端末装置１００のその後の操作を可能とし、従って、識別対象者はホスト装置２００の利用が可能となる。また、照合判定部１０６で両生体情報を不一致と判定すると、制御部１０２は不正を検出した日時を示す不正検出日時情報を生成する。不正検出日時情報は、例えば、２００５／３／２５  １４：２５といった日時情報で構成されている。ここで、不正検出日時情報は、後述する不正者アイリス情報に付加され、不正行為を行った日時を特定するために用いられる。
【００１６】
撮影部１０８は、端末装置１００を操作する識別対象者を撮影するカメラを備え、ホスト装置２００から後述する撮影指示信号を受けると、識別対象者を不正な第三者としてカメラで撮影し、その顔画像情報を取得する。
【００１７】
制御部１０２は、アイリス情報と、登録者ＩＤ番号と、登録者アイリス情報とを取得すると、一時記憶部１０５に記憶する。そして、制御部１０２は、不正検出日時情報を取得すると、一時記憶部１０５に記憶し、該一時記憶部１０５で保持する不正者アイリス情報及び登録者ＩＤ番号に不正検出日時情報を付加して通信部１０１を介してホスト装置２００へ送信する。また、制御部１０２は、不正者の顔画像情報を取得すると、該画像情報を通信部１０１を介してホスト装置２００へ送信する。更に、制御部１０２は、ホスト装置２００から後述する不正者に対する通知情報を取得すると、該通知情報に基づいた画面表示を表示部１０７に表示させる。
【００１８】
ホスト装置２００は、通信部２０１と、装置を制御する制御部２０２と、一時記憶部２０３と、不正生体情報データベース（ＤＢ）２０４と、不正認証情報管理部２０５と、不正者情報ＤＢ２０６と、不正者情報管理部２０７と、出力部２０８と、登録者情報データベース（ＤＢ）２０９とを備える。
【００１９】
不正認証情報管理部２０５は、端末装置１００から不正者アイリス情報と、登録者ＩＤ番号と、不正検出日時情報とを取得すると、登録者ＩＤ番号に基づいて不正生体情報ＤＢ２０４に該アイリス情報が保持されているか否かを検索する。そして、不正認証情報管理部２０５は、取得したアイリス情報が不正生体情報ＤＢ２０４で保持されていないと、該アイリス情報と、不正検出日時情報とを登録者ＩＤ番号に対応させて新規の不正生体情報として不正生体情報ＤＢ２０４に記憶する。不正認証情報管理部２０５が記憶終了を知らせると、制御部２０２は、端末装置１００の表示部１０７に備えたディスプレイに表示するための不正者に対する通知情報を生成する。
【００２０】
一方、不正認証情報管理部２０５は、取得した不正者アイリス情報が不正生体情報ＤＢ２０４で保持されていると、保持されている不正者アイリス情報の追加情報として不正検出日時情報を不正生体情報ＤＢ２０４に記憶する。そして、不正認証情報管理部が日時情報の記憶終了を知らせると、制御部２０２は、端末装置１００の撮影部１０８が不正者の撮影指示を行うための撮影指示信号を生成する。
【００２１】
制御部２０２は、通知情報を生成すると、通信部２０１を介して通知情報を端末装置１００へ送信する。また、制御部２０２は、撮影指示信号を生成すると、通信部２０１を介して該信号を端末装置１００へ送信する。
【００２２】
不正者情報管理部２０７は、端末装置１００から不正者の顔画像情報を取得すると、該画像情報を一時記憶部２０３で保持する登録者ＩＤ番号に対応させて不正者情報ＤＢ２０６に記憶する。そして、不正者情報管理部２０７は、記憶終了を制御部２０２に通知する。
【００２３】
制御部２０２は、この終了信号を受けると、常習性のある不正を検出したことを端末装置１００側へ通知するために、常習者用通知情報を生成する。また、制御部２０２は、同時に常習性のある不正を検出したことを管理者へ通知するために、管理者用の通知情報を生成する。
【００２４】
＜実施例１の動作＞
次に本発明の生体認証システムの実施例１の動作を図２のフローチャートを用いて説明する。
【００２５】
識別対象者が端末装置１００のカード読取部１０３にＩＣカードを挿入すると、カード読取部１０３は、ＩＣカードから登録者ＩＤ番号と、登録者アイリス情報とを読み取る（ステップＳ１０１）。次に、生体情報取得部１０４は、識別対象者の目をカメラで撮影し、撮影画像データから虹彩パターンを抽出してアイリス情報を生成する（ステップＳ１０２）。次に制御部１０２は、識別対象者から取得したアイリス情報と、ＩＣカードから読み取った登録者ＩＤ番号および登録者アイリス情報とを一時記憶部１０５に記憶させる。
【００２６】
照合判定部１０６は、一時記憶部１０５から読み出したアイリス情報と、登録者アイリス情報とを照合して一致、不一致の判定を行い（ステップＳ１０３）、一致と判定すると、制御部１０２は、以後のホスト装置２００との間の操作を可とする（ステップＳ１０４）。
【００２７】
一方、照合判定部１０６が不一致と判定すると、制御部１０２は、不正検出日時情報を生成する（ステップＳ１０５）。そして制御部１０２は、生成した不正検出日時情報を一時記憶部１０５に記憶すると、該一時記憶部１０５で保持する登録者ＩＤ番号と、取得した不正者アイリス情報、不正検出日時情報を通信部１０１を介してホスト装置２００に送信する。
【００２８】
ホスト装置２００の制御部２０２は、取得した登録者ＩＤ番号と、不正者アイリス情報と、不正検出日時情報とを一時記憶部２０３に記憶する。不正認証情報管理部２０５は、取得したアイリス情報が不正生体情報ＤＢ２０４に保持されているか否かを検索し（ステップＳ１０６）、保持されていないと、アイリス情報と、登録者ＩＤ番号と、不正検出日時情報とを新規の不正生体情報として不正生体情報ＤＢ２０４に記憶する（ステップＳ１０７）。そして、制御部２０２は、常習化を阻止するための通知情報を生成し、通信部２０１を介して端末装置１００へ送信する。端末装置１００の制御部１０２は、この通知情報を取得すると、表示部１０７に備えたディスプレイに例えば「取得したアイリス情報が登録データと異なるため認証できません。また、お客様のアイリス情報を登録しました。」と画面表示させ（ステップＳ１０８）、処理を終了する。
【００２９】
また、制御部２０２は、取得したアイリス情報が不正生体情報ＤＢ２０４に保持されていると、常習性を示す追加情報として、不正者アイリス情報に対応させて一時記憶部２０３で保持する不正検出日時情報を不正生体情報ＤＢ２０４に記憶する（ステップＳ１０９）。次に、制御部２０２は、撮影指示信号を生成し、通信部２０１を介して端末装置１００へ送信する。
【００３０】
端末装置１００の制御部１０２は、撮影指示信号を受けると、撮影部１０８を制御して不正者の顔を撮影させる。撮影部１０８が顔画像情報を取得すると（ステップＳ１１０）、制御部１０２は、この画像情報を通信部１０１を介してホスト装置２００へ送信する。
【００３１】
ホスト装置２００の不正者情報管理部２０７は、取得した不正者の顔画像情報を登録者ＩＤ番号に対応させて不正者情報ＤＢ２０６に記憶する。制御部２０２は、終了信号を受けると、常習者用の通知情報を生成し、通信部２０１を介して端末装置１００へ送信する。端末装置１００の制御部１０２は、この通知情報を取得すると、表示部１０７に備えたディスプレイに例えば「アイリス情報が登録データと異なるため認証できません。また、不正行為を繰り返しておりますので顔画像を写しました。」と画面表示させる（ステップＳ１１１）。
【００３２】
更に、制御部２０２は、管理者に常習を知らせる通知情報を生成し、該通知情報を出力部２０８へ送信する。出力部２０８は、この通知情報を取得すると、ディスプレイに例えば「登録者に対する常習性のある不正行為を検出しました。登録者のＩＤ番号は○○○○です。」と画面表示させる（ステップＳ１１２）。管理者は、ディスプレイに表示された登録者ＩＤ番号を確認すると、例えば予め登録者情報ＤＢ２０９に登録した登録者の電話番号にダイヤルして「常習性のある不正が検出されました。不正者の顔画像情報を登録しました。不正者の顔確認のため、システム管理センターまで来訪願います。」と、登録者に通知する。
【００３３】
＜実施例１の効果＞
実施例１の生体認証システムによれば、常習的な不正を検出すると不正者及び管理者への通知情報を生成して出力表示することにより、第三者の常習的な不正行為を抑制することができる。
【実施例２】
【００３４】
＜実施例２の構成＞
本発明の実施例２の生体認証システムは、図３に示すように端末装置１００ａと、該端末装置１００ａとネットワーク３００を介して接続されているホスト装置２００ａとで構成されている。実施例２は、登録者生体情報の保持部をホスト装置２００ａの内部に設け、登録者ＩＤ番号を端末装置１００ａから入力するようにしたものである。
【００３５】
端末装置１００ａは、ネットワーク３００に接続されている通信部１０１と、装置全体を制御する制御部１０２ａと、生体情報取得部１０４と、一時記憶部１０５と、表示部１０７と、撮影部１０８と、入力部１０９とを備える。
【００３６】
入力部１０９は、キーボード等から成り、識別対象者の登録者ＩＤ番号入力に用いられる。
【００３７】
制御部１０２ａは、登録者ＩＤ番号の入力を検知すると、該登録者ＩＤ番号を一時記憶部１０５に記憶させる。また、制御部１０２ａは、生体情報取得部１０４からアイリス情報を取得すると、一時記憶部１０５に記憶させ、該一時記憶部１０５で保持する登録者ＩＤ番号と、該アイリス情報とを通信部１０１を介してホスト装置２００ａへ送信する。
【００３８】
ホスト装置２００ａは、通信部２０１と、装置を制御する制御部２０２ａと、一時記憶部２０３と、不正生体情報データベース（ＤＢ）２０４と、不正認証情報管理部２０５と、不正者情報ＤＢ２０６と、不正者情報管理部２０７と、出力部２０８と、登録者情報データベース（ＤＢ）２０９と、登録者生体情報データベース（ＤＢ）２１０と、照合判定部２１１とを備える。
【００３９】
制御部２０２ａは、端末装置１００ａから登録者ＩＤ番号と、アイリス情報とを取得すると、一時記憶部２０３に記憶する。
【００４０】
登録者生体情報ＤＢ２１０は、予め登録者から取得した登録者アイリス情報を登録者ＩＤ番号に対応させて保持している。
【００４１】
照合判定部２１１は、一時記憶部２０３で登録者ＩＤ番号と、アイリス情報とを保持していると、登録者生体情報ＤＢ２１０から当該登録者アイリス情報を検索してアイリス情報と登録者アイリス情報とを照合し、両生体情報の一致、不一致を判定する。即ち、照合判定部２１１で照合処理を行い、両生体情報を一致と判定すると、制御部２０２ａは、照合が一致したことを端末装置１００ａに通知する。端末装置１００ａの制御部１０２ａは、この通知を受けると、端末装置１００ａのその後の操作を可能とし、従って識別対象者はホスト装置２００ａの利用が可能となる。また、照合判定部２１１で両生体情報を不一致と判定すると、制御部２０２ａは、不正検出日時情報を生成する。
尚、その他の構成は実施例１と同一なので、その説明を省略する。
【００４２】
＜実施例２の動作＞
次に本発明の生体認証システムの実施例２の動作を図４のフローチャートを用いて説明する。
【００４３】
識別対象者が端末装置１００ａの入力部１０９から登録者ＩＤ番号を入力すると（ステップＳ２０１）、制御部１０２ａは、該登録者ＩＤ番号を一時記憶部１０５に記憶する。次に、生体情報取得部１０４は、識別対象者の目をカメラで撮影し、撮影画像データから虹彩パターンを抽出してアイリス情報を生成する（ステップＳ２０２）。次に制御部１０２ａは、識別対象者から取得したアイリス情報を一時記憶部１０５に記憶し、該一時記憶部１０５で保持する登録者ＩＤ番号と、該アイリス情報とを通信部１０１を介してホスト装置２００ａへ送信する。
【００４４】
ホスト装置２００ａの制御部２０２ａは、取得した登録者ＩＤ番号と、アイリス情報とを一時記憶部２０３に記憶する。照合判定部２１１は、一時記憶部２０３で登録者ＩＤ番号と、アイリス情報とを保持していると、登録者生体情報ＤＢ２１０から当該登録者アイリス情報を検索し（ステップＳ２０３）、アイリス情報と登録者アイリス情報とを照合し、両生体情報の一致、不一致の判定を行い（ステップＳ２０４）、一致であると判定すると、制御部２０２ａは照合が一致したことを端末装置１００ａに通知する。端末装置１００ａの制御部１０２ａは、この通知を受けると、以後のホスト装置２００ａとの間の操作を可とする（ステップＳ２０５）。
【００４５】
一方、照合判定部２１１が不一致と判定すると、制御部２０２ａは、不正検出日時情報を生成し（ステップＳ２０６）、該不正検出日時情報を一時記憶部２０３に記憶する。
【００４６】
尚、ステップＳ２０７〜２１３の動作は、実施例１のステップＳ１０６〜１１２の動作と同一のため、その説明を省略する。
【実施例３】
【００４７】
＜実施例３の構成＞
本発明の実施例３の生体認証システムは、図５に示すように複数の端末装置１００ｂ（図では１つのみ示す）と、該端末装置１００ｂとネットワーク３００を介して接続されているホスト装置２００ｂとで構成されている。実施例３は、実施例１の端末装置１００に端末装置のＩＤ情報保持部を設けたものである。
【００４８】
各端末装置１００ｂは、特定位置にそれぞれ設置されており、ネットワーク３００に接続されている通信部１０１と、装置全体を制御する制御部１０２ｂと、カード読取部１０３と、生体情報取得部１０４と、一時記憶部１０５と、照合判定部１０６と、表示部１０７と、撮影部１０８と、端末ＩＤ情報保持部１１０とを備える。
【００４９】
端末ＩＤ情報保持部１１０は、端末装置１００ｂの端末装置ＩＤ番号を保持する。ここで、端末装置ＩＤ番号は、端末装置１００ｂを操作する不正者の位置を特定するために用いられる。
【００５０】
制御部１０２ｂは、生成した不正検出日時情報を一時記憶部１０５に記憶させると、端末ＩＤ情報保持部１１０で保持する端末装置ＩＤ番号を読み取る。制御部１０２ｂは、読み取った端末装置ＩＤ番号を一時記憶部１０５に記憶すると、該一時記憶部１０５で保持するアイリス情報と、登録者ＩＤ番号と、不正検出日時情報と、端末装置ＩＤ番号とを通信部１０１を介してホスト装置２００ｂへ送信する。
【００５１】
ホスト装置２００ｂは、通信部２０１と、装置を制御する制御部２０２ｂと、一時記憶部２０３と、不正生体情報データベース（ＤＢ）２０４ｂと、不正認証情報管理部２０５ｂと、不正者情報ＤＢ２０６と、不正者情報管理部２０７と、出力部２０８と、登録者情報データベース（ＤＢ）２０９とを備える。
【００５２】
不正認証情報管理部２０５ｂは、端末装置１００ｂから不正者アイリス情報と、登録者ＩＤ番号と、不正検出日時情報と、端末装置ＩＤ番号とを取得すると、不正生体情報ＤＢ２０４ｂに該アイリス情報が保持されているか否かを検索する。そして、不正認証情報管理部２０５ｂは、取得したアイリス情報が不正生体情報ＤＢ２０４ｂで保持されていないと、該アイリス情報と、登録者ＩＤ番号と、不正検出日時情報と、端末装置ＩＤ番号とを新規の不正生体情報として不正生体情報ＤＢ２０４ｂに記憶する。不正認証情報管理部２０５ｂが記憶終了を知らせると、制御部２０２ｂは、端末装置１００ｂの表示部１０７に備えたディスプレイに表示するための不正者に対する上記した通知情報を生成する。
【００５３】
一方、不正認証情報管理部２０５ｂは、取得した不正者アイリス情報が不正生体情報ＤＢ２０４ｂで保持されていると、保持されている不正者アイリス情報の追加情報として不正検出日時情報と、端末装置ＩＤ番号とを不正生体情報ＤＢ２０４ｂに記憶する。そして、不正認証情報管理部２０５ｂが不正検出日時情報および端末装置ＩＤ番号の記憶終了を知らせると、制御部２０２ｂは、端末装置１００ｂの撮影部１０８に不正者の撮影指示を行うための撮影指示信号を生成する。
尚、その他の構成については実施例１と同一のため説明を省略する。
【００５４】
＜実施例３の動作＞
次に本発明の生体認証システムの実施例３の動作を図６のフローチャートを用いて説明する。
【００５５】
ステップＳ３０１〜３０５は、実施例１の動作を示すステップＳ１０１〜１０５と同一のため、説明を省略する。
【００５６】
制御部１０２ｂは、生成した不正検出日時情報を一時記憶部１０５に記憶すると、
端末ＩＤ情報保持部１１０で保持する端末装置ＩＤ番号を読み取り（ステップＳ３０６）、該端末装置ＩＤ番号を一時記憶部１０５に記憶する。そして、制御部１０２ｂは、一時記憶部１０５で保持するアイリス情報と、登録者ＩＤ番号と、不正検出日時情報と、端末装置ＩＤ番号とを通信部１０１を介してホスト装置２００ｂへ送信する。
【００５７】
実施例３のステップＳ３０７〜３１３の動作は、取得した端末装置ＩＤ番号も不正生体情報ＤＢ２０４ｂに記憶する以外は実施例１のステップＳ１０６〜１１２の動作と同一であるため、説明を省略する。
【００５８】
＜実施例３の効果＞
実施例３の生体認証システムによれば、常習的な不正を検出するだけでなく、不正者が不正を行う毎に使用する各装置の端末装置ＩＤ番号を読み取ることにより、不正者の行動範囲を特定することができるため、第三者の特定が容易になり、常習的な不正行為を抑制することができる。
【実施例４】
【００５９】
＜実施例４の構成＞
本発明の実施例４の生体認証システムは、図７に示すように端末装置１００ｂと、該端末装置１００ｂとネットワーク３００を介して接続されているホスト装置２００ｃとで構成されている。実施例４は、実施例３のホスト装置２００ｂに常習性のある不正の検出を登録者へ電子メールを用いて通知するための機能を追加したものである。
【００６０】
ホスト装置２００ｃは、通信部２０１と、装置を制御する制御部２０２ｃと、一時記憶部２０３と、不正生体情報データベース（ＤＢ）２０４ｂと、不正認証情報管理部２０５ｃと、不正者情報ＤＢ２０６と、不正者情報管理部２０７ｃと、出力部２０８と、登録者情報データベース（ＤＢ）２０９と、電子メール送信部２１２とを備える。
【００６１】
制御部２０２ｃは、常習者用の上記した通知情報および管理者用の通知情報を生成すると同時に、常習性のある不正を検出したことを登録者へ通知するために登録者用の通知情報を生成し、一時記憶部２０３に記憶する。そして、制御部２０２ｃは、登録者用の通知情報を登録者に電子メールを用いて通知するために、不正者情報管理部２０７ｃへ不正者の顔の画像と、なりすましに使用された登録者の登録者電子メールアドレスとを検索するよう指示する。
【００６２】
不正者情報管理部２０７ｃは、制御部２０２ｃからの指示により、登録者ＩＤ番号に基づいて不正者情報ＤＢ２０６に記憶した該不正者の顔の画像情報と、登録者情報ＤＢ２０９で保持する該登録者電子メールアドレスとを検索すると、検索終了を制御部２０２ｃに通知する。
【００６３】
制御部２０２ｃは、検索終了の通知を受けると、検索により該当した不正者の顔の画像情報および登録者電子メールアドレスを一時記憶部２０３に記憶する。そして、制御部２０２ｃは、一時記憶部２０３で保持する登録者用の通知情報と、不正者の顔の画像情報と、登録者電子メールアドレスとを電子メール送信部２１２へ送信する。
【００６４】
電子メール送信部２１２は、登録者用の通知情報と、不正者の顔の画像情報と、登録者電子メールアドレスとを取得すると、登録者用の通知情報を電子メール形式にして不正者の顔の画像情報を付加し、登録者電子メールアドレス宛に送信する。尚、この電子メール自動生成処理及び電子メール自動送信処理については公知であるため、ここでの説明は省略する。
尚、その他の構成については実施例３と同一のため説明を省略する。
【００６５】
＜実施例４の動作＞
次に本発明の生体認証システムの実施例４の動作を図８のフローチャートを用いて説明する。
【００６６】
ステップＳ４０１〜４１３の動作は、実施例３のステップＳ３０１〜３１３の動作と同一のため、説明を省略する。
【００６７】
次に、制御部２０２ｃは、登録者に常習を知らせる通知情報を生成し、一時記憶部２０３に記憶する。そして、制御部２０２ｃは、不正者情報管理部２０７ｃへ不正者の顔の画像情報と、登録者電子メールアドレスとを検索するよう指示する。不正者情報管理部２０７ｃは、制御部２０２ｃからの指示により、不正者情報ＤＢ２０６で保持する該不正者の顔の画像情報と、登録者情報ＤＢ２０９で保持する該登録者電子メールアドレスとを検索すると、検索終了を制御部２０２ｃへ通知する。制御部２０２ｃは、この通知を受けると、検索により該当した不正者の顔の画像情報および登録者電子メールアドレスを一時記憶部２０３に記憶する。次に、制御部２０２ｃは、一時記憶部２０３で保持する登録者用の通知情報と、不正者の顔の画像情報と、登録者電子メールアドレスとを電子メール送信部２１２へ送信する。電子メール送信部２１２は、登録者用の通知情報と、不正者の顔の画像情報と、登録者電子メールアドレスとを取得すると、登録者用の通知情報を電子メール形式にして不正者の顔の画像情報を付加し、例えば「常習性のある不正が検出されました。不正者の顔画像情報を添付しますので、確認願います。」と本文に記載した該電子メールを登録者電子メールアドレス宛に送信する（ステップＳ４１４）。登録者は、例えば該電子メールをＰＣ（Ｐｅｒｓｏｎａｌ  Ｃｏｍｐｕｔｅｒ）端末で取得すると、第三者の常習性のある不正行為を把握し、不正者の顔の画像情報を確認し、不正者が知人であるか否かを判定させる。
【００６８】
＜実施例４の効果＞
実施例４の生体認証システムによれば、常習的な不正を検出するだけでなく、電子メールを用いて該不正を登録者に通知することにより、登録者は第三者の常習的な不正行為を把握し、かつ電子メールに付加された不正者の顔の画像情報を確認するため、第三者を特定したりＩＣカードを再発行させる等により不正行為を抑制することができる。
【実施例５】
【００６９】
＜実施例５の構成＞
本発明の実施例５の生体認証システムは、図９に示すように端末装置１００ｂと、該端末装置１００ｂとネットワーク３００を介して接続されているホスト装置２００ｄとで構成されている。実施例５は、実施例３のホスト装置２００ｂに常習性のある不正の検出を登録者の携帯電話番号にダイヤル発信し、音声で通知する機能を追加したものである。
【００７０】
ホスト装置２００ｄは、通信部２０１と、装置を制御する制御部２０２ｄと、一時記憶部２０３と、不正生体情報データベース（ＤＢ）２０４ｂと、不正認証情報管理部２０５ｄと、不正者情報ＤＢ２０６と、不正者情報管理部２０７ｄと、出力部２０８と、登録者情報データベース（ＤＢ）２０９と、携帯電話メッセージ送信部２１３とを備える。
【００７１】
制御部２０２ｄは、常習者用の上記した通知情報および管理者用の通知情報を生成すると同時に、常習性のある不正を検出したことを登録者へ通知するために登録者用の通知情報を生成し、一時記憶部２０３に記憶する。そして、制御部２０２ｄは、登録者の携帯電話番号にダイヤル発信し、この通知情報を通知するために、不正者情報管理部２０７ｄへ登録者の携帯電話番号を検索するよう指示する。
【００７２】
不正者情報管理部２０７ｄは、制御部２０２ｄからの指示により、登録者情報ＤＢ２０９で保持する該登録者携帯電話番号を検索すると、検索終了を制御部２０２ｄに通知する。
【００７３】
制御部２０２ｄは、検索終了の通知を受けると、検索した登録者携帯電話番号を一時記憶部２０３に記憶する。そして、制御部２０２ｄは、一時記憶部２０３で保持する登録者用の通知情報と、登録者携帯電話番号とを携帯電話メッセージ送信部２１３へ送信する。
【００７４】
携帯電話メッセージ送信部２１３は、登録者用の通知情報と、登録者携帯電話番号とを取得すると、該登録者携帯電話番号にダイヤル発信し、該登録者用の通知情報に基づいた音声出力を行う。尚、この電話番号自動ダイヤル処理およびメッセージ自動音声出力処理については公知であるため、ここでの説明は省略する。
尚、その他の構成については実施例３と同一のため説明を省略する
【００７５】
＜実施例５の動作＞
次に本発明の生体認証システムの実施例５の動作を図１０のフローチャートを用いて説明する。
【００７６】
ステップＳ５０１〜５１３は、実施例３のステップＳ３０１〜３１３の動作と同一のため、説明を省略する。
【００７７】
次に、制御部２０２ｄは、端末装置１００ｂ側に常習を知らせる上記通知情報を生成し、一時記憶部２０３に記憶する。そして、制御部２０２ｄは、不正者情報管理部２０７ｄへ登録者携帯電話番号を検索するよう指示する。不正者情報管理部２０７ｄは、制御部２０２ｄからの指示により、登録者情報ＤＢ２０９で保持する該登録者携帯電話番号を検索すると、検索終了を制御部２０２ｄに通知する。制御部２０２ｄは、検索終了の通知を受けると、検索した登録者携帯電話番号を一時記憶部２０３に記憶する。次に、制御部２０２ｄは、一時記憶部２０３で保持する登録者用の通知情報と、登録者携帯電話番号とを携帯電話メッセージ送信部２１３へ送信する。携帯電話メッセージ送信部２１３は、登録者用の通知情報と、登録者携帯電話番号とを取得すると、該登録者携帯電話番号にダイヤル発信し、例えば「常習性のある不正が検出されました。不正者の顔画像情報を登録しました。不正者の顔確認のため、システム管理センターまで来訪願います。」と該登録者用の通知情報に基づいた音声出力を行う（ステップＳ５１４）。登録者は、携帯電話端末でこの通知情報を聞くと、システム管理センターに往訪して不正者の顔の画像情報を確認する等を行うことになる。
【００７８】
＜実施例５の効果＞
実施例５の生体認証システムによれば、常習的な不正を検出すると、登録者の携帯電話番号にダイヤル発信し、該不正の検出を音声で通知することにより、登録者は第三者の常習的な不正行為を把握することができる。
【産業上の利用可能性】
【００７９】
前記した実施例では、登録者への通知は電子メール送信機能および携帯電話メッセージ送信機能を用いて行っていたが、これに限る必要はなく、ファクシミリ送信機能および固定電話やＩＰ電話へメッセージを送信する機能を用いることもできる。
【図面の簡単な説明】
【００８０】
【図１】本実施例１の生体認証システムを示すブロック図である。
【図２】本実施例１の動作を示すフローチャートである。
【図３】本実施例２の生体認証システムを示すブロック図である。
【図４】本実施例２の動作を示すフローチャートである。
【図５】本実施例３の生体認証システムを示すブロック図である。
【図６】本実施例３の動作を示すフローチャートである。
【図７】本実施例４の生体認証システムを示すブロック図である。
【図８】本実施例４の動作を示すフローチャートである。
【図９】本実施例５の生体認証システムを示すブロック図である。
【図１０】本実施例５の動作を示すフローチャートである。
【符号の説明】
【００８１】
１００  端末装置
１０１  通信部
１０２  制御部
１０３  カード読取部
１０４  生体情報取得部
１０５  一時記憶部
１０６  照合判定部
１０７  表示部
１０８  撮影部
１０９  入力部
１１０  端末ＩＤ情報保持部
２００  ホスト装置
２０１  通信部
２０２  制御部
２０３  一時記憶部
２０４  不正生体情報データベース（ＤＢ）
２０５  不正認証情報管理部
２０６  不正者情報データベース（ＤＢ）
２０７  不正者情報管理部
２０８  出力部
２０９  登録者情報データベース（ＤＢ）
２１０  登録者生体情報データベース（ＤＢ）
２１１  照合判定部
２１２  電子メール送信部
２１３  携帯電話メッセージ送信部
３００  ネットワーク
【図１】
2007140771.tif 000003
【図２】
2007140771.tif 000004
【図３】
2007140771.tif 000005
【図４】
2007140771.tif 000006
【図５】
2007140771.tif 000007
【図６】
2007140771.tif 000008
【図７】
2007140771.tif 000009
【図８】
2007140771.tif 000010
【図９】
2007140771.tif 000011
【図１０】
2007140771.tif 000012